(57)【特許請求の範囲】
【請求項１】
平側及び屋根を折畳み自在とし伸張することによって使用するガレージ，仮設ハウス，倉庫等の折畳み構築物であって，対向する妻側に妻側枠を，該妻側枠間に同一形状多数の可動枠をそれぞれ配置し，これら妻側枠及び可動枠にそれぞれ相互にヒンジ連結した平側パネル及び屋根パネルをヒンジ連結することによってこれらを介設するとともに上記平側パネルを谷折り自在，上記屋根パネルを山折り自在とし且つ対向する妻側枠にそれぞれ妻側パネル又は開口部材を配置し且つ上記対向する妻側枠の高さを，それぞれ上記屋根パネル山折り時の高さと略同等の上記可動枠を超える高さとするとともにその対向面側に上記可動枠と同一高さの連結枠部を配置して上記屋根パネルの妻側枠に対するヒンジ連結を行なってなることを特徴とする折畳み構築物。
【請求項２】
上記妻側枠及び可動枠をそれぞれその上枠部の幅方向端部に長手方向全長の端部立上り片を備えて形成し，上記屋根パネルのヒンジ連結を，該端部立上り片の内側において伸張時に屋根パネルが端部立上り片を覆うように行なってなることを特徴とする請求項１に記載の折畳み構築物。
【請求項３】
上記平側パネルの相互のヒンジ連結部を横断するようにこれら平側パネルを連結して平側パネル同士を伸張状態に維持する伸張維持部材を，上記平側パネルの上端部と屋根パネルの側端部間に屋根パネルを下方引寄せ状態に維持する吹上防止部材をそれぞれ配設してなることを特徴とする請求項１又は２に記載の折畳み構築物。
【請求項４】
上記妻側枠と妻側の可動枠及び隣接する可動枠間に，これらを相互に連結して平側パネルを折畳み状態に維持する開き止め部材を配設してなることを特徴とする請求項１，２又は３に記載の折畳み構築物。
【発明の詳細な説明】
【０００１】
【発明の属する技術分野】
本発明は，ガレージ，仮設ハウス，倉庫等の各種目的に使用する折畳み構築物に関する。
【０００２】
【従来の技術及び発明が解決しようとする課題】
この種折畳み構築物として，例えば対向する平側パネルと，相互にヒンジ連結するとともに上記平側パネルにそれぞれヒンジ連結することによって，該平側パネルに谷折りとする妻側パネル及び山折りとする屋根パネルを備え，必要に応じて床パネルを設置したものを提案済みであるが，この場合折畳みは上記平側パネルを設置した平側を基準としてなされることになるため，例えばガレージのように奥行を５ｍ程度とするように，特に平側を長くする必要がある構築物は，その輸送とこれによる現場搬入のために平側の長さに応じた長さの荷台を有するトラックを必要とすることになり，トラック輸送の面で障害を生じる結果，現場に搬入して簡易に設置使用し得るメリットから折畳み自在のものとして構成しても，現場搬入が容易ではないため，そのメリットを生かせず，このため平側の長い折畳み構造物の実用化がなされない状況にある。
【０００３】
本発明はかかる事情に鑑みてなされたもので，その解決課題とするところは，奥行を深くするために平側が長くなる場合にも，トラック輸送とこれによる現場搬入を可能とし，簡易な設置使用を可能とした折畳み構築物を提供するにある。
【０００４】
【課題を解決するための手段】
上記課題に添って本発明は，対向する妻側枠とその間の多数の可動枠を用いて，該妻側枠と可動枠の平側及び屋根側に，それぞれ相互にヒンジ連結した平側パネル及び屋根パネルをそれぞれ折畳み自在にヒンジ連結するとともに妻側枠に妻側パネル乃至開口部材を配置することによって，構築物を上記妻側枠及びその間の可動枠を折畳み基準として折畳むように構成し，更に折畳み状態の構築物の外観を良好に維持し，必要に応じて，例えば開口部材として縦引きシャッターを設置する場合，そのシャッターケースを設置するスペースを確保し，また例えば折畳み状態の構築物をその妻側枠部分をクレーンで吊り持ちしてトラックへの積載や積降ろしを行なうにようにした場合，妻側枠のワイヤーが折り畳んだ屋根パネルに当ったりするのを防止する等，構造物の具体的な形態の適応性を向上するようにしたものであって，即ち請求項１に記載の発明を，平側及び屋根を折畳み自在とし伸張することによって使用するガレージ，仮設ハウス，倉庫等の折畳み構築物であって，対向する妻側に妻側枠を，該妻側枠間に同一形状多数の可動枠をそれぞれ配置し，これら妻側枠及び可動枠にそれぞれ相互にヒンジ連結した平側パネル及び屋根パネルをヒンジ連結することによってこれらを介設するとともに上記平側パネルを谷折り自在，上記屋根パネルを山折り自在とし且つ対向する妻側枠にそれぞれ妻側パネル又は開口部材を配置し且つ上記対向する妻側枠の高さを，それぞれ上記屋根パネル山折り時の高さと略同等の上記可動枠を超える高さとするとともにその対向面側に上記可動枠と同一高さの連結枠部を配置して上記屋根パネルの妻側枠に対するヒンジ連結を行なってなることを特徴とする折畳み構築物とし，請求項２に記載の発明は，折畳み構築物を屋外において使用するに際して，屋根の防水性を確保し得るように，これを，上記妻側枠及び可動枠をそれぞれその上枠部の幅方向端部に長手方向全長の端部立上り片を備えて形成し，上記屋根パネルのヒンジ連結を，該端部立上り片の内側において伸張時に屋根パネルが端部立上り片を覆うように行なってなることを特徴とする請求項１に記載の折畳み構築物とし，請求項３に記載の発明は，折畳み構築物の伸張使用時に風圧による平側パネルの揺動や屋根パネルの揺動乃至吹上を防止して，折畳み構築物としての安定性を向上するとともにこれらのよる騒音発生を防止するように，これを，上記平側パネルの相互のヒンジ連結部を横断するようにこれら平側パネルを連結して平側パネル同士を伸張状態に維持する伸張維持部材を，上記平側パネルの上端部と屋根パネルの側端部間に屋根パネルを下方引寄せ状態に維持する吹上防止部材をそれぞれ配設してなることを特徴とする請求項１又は２に記載の折畳み構築物とし，請求項４に記載の発明は，折畳みの輸送や保管時における平側パネルの揺動を防止し，そのコンパクトな折畳み状態を確実に確保し得るように，これを，上記妻側枠と妻側の可動枠及び隣接する可動枠間に，これらを相互に連結して平側パネルを折畳み状態に維持する開き止め部材を配設してなることを特徴とする請求項１，２又は３に記載の折畳み構築物とし，これらをそれぞれ発明の要旨として，上記課題解決の手段としたものである。
【０００５】
【発明の実施の形態】
以下図面の例に従って本発明を更に具体的に説明すれば，Ａは，平側及び屋根を折畳み自在とし伸張することによって使用する，本例において鋼製のガレージとした折畳み構築物であり，該構築物Ａは，対向する妻側に妻側枠１を，該妻側枠１間に同一形状多数の可動枠６をそれぞれ配置し，これら妻側枠１及び可動枠６にそれぞれ相互にヒンジ１５連結した平側パネル１０及び屋根パネル１２をヒンジ１５連結することによってこれらを介設するとともに上記平側パネル１０を谷折り自在，上記屋根パネル１２を山折り自在とし且つ対向する妻側枠１にそれぞれ妻側パネル３又は開口部材４を配置し且つ上記対向する妻側枠１の高さを，それぞれ上記屋根パネル１２山折り時の高さと略同等の上記可動枠６を超える高さとするとともにその対向面側に上記可動枠６と同一高さの連結枠部２を配置して上記屋根パネル１２の妻側枠１に対するヒンジ１５連結を行なったものとしてある。
【０００６】
即ち本例の折畳み構築物Ａは，上記ガレージとして，例えば妻側長さを２．５ｍ，平側長さを５ｍ，最大高さを２．５ｍとして，ワゴン車を格納可能のものとしてあり，正面をなす一方の妻側に，例えば縦引きシャッターとした開口部材４を設置し，背面をなす他方の妻側，平側並びに屋根はそれぞれ鋼製のパネル面をなすものとしてある。
【０００７】
本例において妻側枠１は，鋼材を枠組み固定して幅広とした鋼製フレームに，例えば波板鋼板による表面板を張設した鋼製パネルの縦枠部及び上枠部によってそれぞれ幅広高剛性の門型形状のものとするとともに，その対向面側端部に同じく鋼製フレームにして縦枠部７と妻側枠１より低い上枠部８とによる門型の上記連結枠部２を配置固定したものとしてあり，また可動枠６はこれを同じく太幅の鋼材を枠組み固定し，必要に応じてコーナー部に鋼製の方杖等を溶着する等の補強措置を施した縦枠部７及び上枠部８によって高剛性にして，上記妻側枠１より低く，相互に同一枠形状のものとするとともに上記連結枠部２と同一枠形状のものとしてあり，このとき上記妻側枠１，本例にあっては上記連結枠部２及び可動枠６をそれぞれその上枠部８の幅方向端部に長手方向全長の端部立上り片９を備えたものとしてあり，本例の端部立上り片９は上記連結枠部２及び上記可動枠６をそれぞれ断面上向きコ字状とするようにその幅方向両端に，その各上枠部８の鋼材端部を上向き一体に立上げ形成したものとしてある。
【０００８】
平側パネル１０及び妻側パネル３は，同じく鋼材を枠組み固定して幅広とした鋼製フレームに，上記と同様な波板鋼板材による表面材を張設した鋼製パネルによるものとしてあり，また屋根パネル１２は同じく鋼製フレームに鋼製折板屋根材を張設し，該折板屋根材の幅方向端部の水平部に下向きの折曲片１３を折曲形成した，上記平側パネル１０と同一幅の同じく鋼製パネルによるものとしてある。
【０００９】
平側パネル１０及び屋根パネル１２は，各２枚を相互にヒンジ１５連結してそれぞれ折畳み自在としてあり，このとき本例にあってヒンジ１５は蝶番金物を用いてその連結を行なうとともに平側パネル１０にあっては，これを相互に谷折りの折畳みを行なうように谷折り折曲のヒンジ１５連結を，屋根パネル１２にあっては，これを相互に山折りの折畳みを行なうように山折り折曲のヒンジ１５連結を行い，その折畳み方向を逆にするようにしてある。
【００１０】
相互にヒンジ１５連結した各平側パネル１０及び屋根パネル１２は，上記妻側枠１，本例にあってはその連結枠部２とこれに隣接する妻側の可動枠６間に，また各可動枠６間にそれぞれヒンジ１５連結してこれらの間を閉塞するように介設してあり，このとき妻側枠１の連結枠部２及び可動枠６に対する平側パネル１０の各ヒンジ１５連結はその谷折りの折畳みを可能とするようにそれぞれ山折り折曲の連結を，屋根パネル１２の各ヒンジ１５連結はその山折りの折畳みを可能とするように山折り折曲の連結を行なったものとしてある。
【００１１】
このとき上記屋根パネル１２のヒンジ１５連結は，これを，上記妻側枠１，本例にあってはその連結枠部２及び可動枠６の上枠部８における端部立上り片９の内側において伸張時に屋根パネル１２が端部立上り片９を覆うように行なったものとしてあり，本例の該ヒンジ１５連結は，屋根パネル１２の上記幅方向端部の水平部に折曲形成した下向きの折曲片１３の下端を上記上枠部８の端部立上り片９の内側下端において行なうことによって，屋根パネル１２が伸張時に該端部立上り片９を被覆し，折畳み時に屋根パネル１２が上枠部８の内側に起立状になるようにこれを行なってあり，これによって上記連結枠部２又は可動枠６の上枠部８と屋根パネル１２間に空隙が生じて雨水が浸入するのを防止するようにしてある。
【００１２】
妻側枠１の上記縦引きシャッターとした開口部材４の設置は，そのシャッターケースを開口上方の可動枠６との高さの差に応じたスペースに設置し，妻側枠１の非対向側に該妻側枠１の開口を開閉自在とするようにしてあり，また上記妻側パネル３の設置は，その開口全面を閉塞するようにこれを行なってある。
【００１３】
図中１６は，上記平側パネル１０の相互のヒンジ１５連結部を横断するようにこれら平側パネル１０を連結して平側パネル１０同士を伸張状態に維持する伸張維持部材，１８は，上記平側パネル１０の上端部と屋根パネル１２の側端部間に該屋根パネル１２を下方引寄せ状態に維持する吹上防止部材であり，また１９は，上記妻側枠１と妻側の可動枠６及び隣接する可動枠６間に，これらを相互に連結して平側パネル１０を折畳み状態に維持する開き止め部材であり，上記伸張維持部材１６は，本例において上記平側パネル１０のそれぞれ室内側においてその一方に回動自在に軸支固定して，その他方に設置した受け具１７に係止自在として，その相互のヒンジ１５連結部を横断することによって伸張状態においてヒンジ１５の回動を防止してこれらを伸張状態に維持する連結バーによるものとし，上記吹上防止部材１８は，平側パネル１０における鋼製フレーム上枠と屋根パネル１２における鋼製フレーム平側の側枠間の室内側にしてこれら相互のヒンジ１５連結部近傍の一方に回動自在に軸支固定してこれらの他方に設置した受け具１７に係止自在としたフックによるものとし，また上記開き止め部材１９は，上記妻側枠１と妻側の可動枠６及び隣接する可動枠６間に架設するように，上記伸張維持部材１６とは逆の室外側に設置し，折畳み状態において妻側枠１乃至可動枠６相互の間隔を維持する短寸の連結バーによるものとしてある。
【００１４】
また図中５は妻側枠１の上端２箇所にそれぞれ設置したクレーンによる構築物Ａのトラック積載と所定位置への据置設置を可能とするワイヤー引掛用の吊り金具，１１は平側パネル  に設置した窓，１４は図示省略の特殊運搬具を使用したときに使用する屋根パネル１２に設置した運搬具ガイドレール案内用のガイド金具，２０は本例において据置設置に使用したコンクリート土台，２１はその固定用アンカーである。
【００１５】
このように形成した本例の折畳み構築物Ａは，例えば開き止め部材１９を掛止して折畳み状態とし，上記吊り金具５にワイヤーを掛けてクレーンで吊り持ちしてトラックに積載し，構築物Ａ設置現場に輸送し，該設置現場においては上記クレーンの吊り持ち状態で開き止め部材１９を外し，人手によって妻側枠１を離隔するように妻側枠１及びその間の可動枠６を折畳み基準（伸張基準）として全体を伸張し，該伸張状態で所定位置の地表に据置設置し，上記伸張維持部材１６，吹上防止部材１８を掛止して，構築物Ａの伸張状態を維持するようにし，必要に応じて上記固定用アンカー２１等による地表乃至コンクリート土台２０に対する固定措置を施して，上記ガレージとして使用すればよく，また撤去するときは，伸張維持部材１６，吹上防止部材１８を外し，クレーンの吊り持ち状態で妻側枠１を近接するように，同じく妻側枠１及びその間の可動枠６を折畳み基準として全体を折畳み，トラックに積載して搬出するようにすればよい。
【００１６】
図示した例は以上のとおりとしたが，折畳み構築物を仮設ハウス，倉庫等上記以外の用途に使用すること，該用途上必要に応じて例えば上記可動枠を矩形又は方形の下枠部を備えたものとして，これに床パネルを載置固定する等して床を設置するようにすること，妻側枠と可動枠を同一枠形状のものとし，また妻側枠を可動枠と同幅としてこれらを同様の構成のものとすること，妻側枠，可動枠，平側パネル，屋根パネル等の構成にアルミ押出材を使用し，ヒンジ連結をアルミ押出材の軸と軸受とによるアルミ全面ヒンジを用いて行なうこと，開口部材として引き戸，ドア等を使用すること，妻側パネルに開口部材としてこれら引き戸，ドア等を設置すること，伸張維持部材を使用するとき，これを妻側枠と妻側の可動枠及び隣接する可動枠間又は平側パネル相互の隣接するヒンジ連結部間に配設することによって，同じく平側パネルを相互に連結して平側パネル同士を伸張状態に維持するようにすること等を含めて，本発明の実施に当って，折畳み構築物，妻側枠，可動枠，平側パネル，屋根パネル，ヒンジ，開口部材，妻側パネル，必要に応じて使用する伸張維持部材，吹上防止部材，開き止め部材等の各具体的形状，構造，材質，用途，これらの関係，これらに対する付加等は，上記発明の要旨に反しない限り，様々な形態のものとすることができる。
【００１７】
【発明の効果】
本発明は以上のとおりに構成したから，請求項１に記載の発明は，対向する妻側枠とその間の多数の可動枠を基準として平側パネルを谷折り自在に，屋根パネルを山折り自在にコンパクトに折り畳むようにして，奥行を深くするために平側が長くなる場合にも，トラック輸送とこれによる現場搬入を可能とし，簡易な設置使用を可能とするとともに折畳み状態の構築物の外観を良好に維持するようにする一方，必要に応じて，例えば開口部材として縦引きシャッターを設置する場合，そのシャッターケースを設置するスペースを確保し，また例えば折畳み状態の構築物をその妻側枠部分をクレーンで吊り持ちしてトラックへの積載や積降ろしを行なうにようにした場合，妻側枠のワイヤーが折り畳んだ屋根パネルに当ったりするのを防止する等，構造物の具体的な形態の適応性を向上した折畳み構築物を提供することができ，請求項２に記載の発明は，折畳み構築物を屋外において使用するに際して，屋根の防水性を確保することができ，請求項３に記載の発明は，折畳み構築物の伸張使用時に風圧による平側パネルの揺動や屋根パネルの揺動乃至吹上を防止して，折畳み構築物としての安定性を向上するとともにこれらのよる騒音発生を防止することができ，請求項４に記載の発明は，折畳みの輸送や保管時における平側パネルの揺動を防止し，そのコンパクトな折畳み状態を確実に確保することができる。
【図面の簡単な説明】
【図１】折畳み構造物の斜視図である。
【図２】折畳み構造物の折畳み状態を示す斜視図である。
【図３】折畳み構造物の横断面図である。
【図４】折畳み構造物の縦断面図である。
【図５】平側パネルの折畳み状態を示す横断面図である。
【図６】屋根パネルの折畳み状態を示す縦断面図である。
【図７】平側パネル伸張状態の伸張維持部材を示す部分拡大図である。
【図８】平側パネルと屋根パネルの吹上防止部材を示す部分拡大図である。
【図９】平側パネル折畳み状態の開き止め部材を示す部分拡大図である。
【符号の説明】
Ａ  折畳み構築物
１  妻側枠
２  連結枠部
３  妻側パネル
４  開口部材
６  可動枠
９  端部立上り片
１０  平側パネル
１２  屋根パネル
１５  ヒンジ
１６  伸張維持部材
１８  吹上防止部材
１９  開き止め部材
【図１】
0003855221.tif 000002
【図２】
0003855221.tif 000003
【図３】
0003855221.tif 000004
【図４】
0003855221.tif 000005
【図５】
0003855221.tif 000006
【図６】
0003855221.tif 000007
【図７】
0003855221.tif 000008
【図８】
0003855221.tif 000009
【図９】
0003855221.tif 000010